【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
少なくとも一部の原画像についてモーション画像と称される動きを表す情報とテクスチャ画像と称されるテクスチャを表す情報とを生成するモーション／テクスチャ分解とウェーブレット符号化とを実行する、原画像シーケンスを符号化するための方法であって、
前記モーション画像を取得するために動きを推定する段階と、
その上では動きの効果がキャンセルされている前記テクスチャ画像を取得するために各前記原画像を少なくとも１つの基準グリッド上に投影する段階と、
モーション残差と称されるモーション差分画像を取得するためにモーション画像と対応する推定画像とを比較する段階と、
テクスチャ残差と称されるテクスチャ差分画像を取得するためにテクスチャ画像と対応する推定画像とを比較する段階と、
前記モーション残差と前記テクスチャ残差を独立にウェーブレット符号化する段階と
を含んでなる、画像シーケンスの符号化方法。
【請求項２】
前記比較は前記画像シーケンスの少なくとも最初の画像および／または最後の画像を使用して補間された画像との差分を使用することを特徴とする請求項１に記載の画像シーケンスの符号化方法。
【請求項３】
前記テクスチャの時間的符号化が実行され、この時間的符号化はウェーブレット符号化を使って時間軸に沿って暫定的に符号化された前記動きによって調整されるものである請求項１または２に記載の画像シーケンスの符号化方法。
【請求項４】
時間的ウェーブレット符号化とそれに続いて行われる空間的ウェーブレット符号化とを含むテクスチャの符号化を含むものである請求項１から３のいずれかに記載の画像シーケンスの符号化方法。
【請求項５】
メッシュ分割を考慮するモーション符号化を含むものである請求項１から４のいずれかに記載の画像シーケンスの符号化方法。
【請求項６】
空間ウェーブレット符号化が、その後に続いて行われる時間的ウェーブレット符号化から成るモーション符号化を含むものである請求項１から５のいずれかに記載の画像シーケンスの符号化方法。
【請求項７】
前記原画像は、可変数（Ｎ）個の原画像を含む画像ブロックにグループ化されることを特徴とする請求項１から６のいずれかに記載の画像シーケンスの符号化方法。
【請求項８】
２つの連続する画像ブロックは、少なくとも１つの共通する画像を含むことを特徴とする請求項７に記載の画像シーケンスの符号化方法。
【請求項９】
各前記画像ブロックごとに、画像ブロックの全ての画像の動きをその画像ブロックの最初の画像から推定することを特徴とする請求項１から８のいずれかに記載の画像シーケンスの符号化方法。
【請求項１０】
前記投影段階においては、議論しているブロックの最初の画像と最後の画像をそれぞれ表現する２つの基準グリッドを使用することを特徴とする請求項１から９のいずれかに記載の画像シーケンスの符号化方法。
【請求項１１】
テクスチャ・マスクを取得するために画像内のメッシュ分割のノードのポジションによって指定されるサンプリンググリッドに対応する少なくとも１つの基準グリッド上に画像を投影する段階と、別の画像に対応する基準グリッドを使用することにより前記画像投影段階の後に定義されないままになっている少なくとも１つの画像サポートゾーンを検出する段階と、前記定義されないままになっている画像サポートゾーンをパディングする段階（パディング段階）とを含むものである請求項１から１０のいずれかに記載の画像シーケンスの符号化方法。
【請求項１２】
サポートが無限長の信号をシミュレートするために画像のエッジに対応するウェーブレット係数に反対称性が適用されることを特徴とする請求項１から１１のいずれかに記載の画像シーケンスの符号化方法。
【請求項１３】
符号化されたデータは少なくとも２つのレイヤへと配送され、最下位レイヤは粗いクオリティの画像を再構成できるようにするデータを含み、最上位レイヤは前記粗い画像のクオリティをより精密なものにできるようにするデータを含むことを特徴とする請求項１から１２に記載の画像シーケンスの符号化方法。
【請求項１４】
原画像シーケンスを表現する信号であり、少なくとも一部の原画像についてモーション画像と称される動きを表す情報とテクスチャ画像と称されるテクスチャを表す情報とを生成するモーション／テクスチャ分解とウェーブレット符号化とを実行する請求項１から１３のいずれかに記載された符号化方法によって得られる信号であって、
モーション画像と対応する推定画像との比較によって得られるモーション残差と称されるモーション差分画像に適用されるウェーブレット符号化を表す第１のデジタルデータと、テクスチャ画像と対応する推定画像との比較によって得られるテクスチャ残差と称される、その上では動きの効果がキャンセルされているテクスチャ差分画像に適用されるウェーブレット符号化を表す第２のデジタルデータとを含み、前記第１のデータは前記第２のデータとは独立に符号化されることを特徴とする信号。
【請求項１５】
少なくとも２つのレイヤから構築され、１つは最下位レイヤであり、該最下位レイヤは粗いクオリティの画像を再構成できるようにするデータを含み、もう１つは最上位レイヤであり、該最上位レイヤは前記粗い画像のクオリティをより精密なものにできるようにすること特徴とする請求項１４に記載の信号。
【請求項１６】
オブジェクトの動き、テクスチャ、および形状をそれぞれ表現する、そのオブジェクトを記述するための３つのフィールドを含んでいる請求項１４または１５に記載の信号。
【請求項１７】
少なくとも一部の原画像についてモーション画像と称される動きを表す情報とテクスチャ画像と称されるテクスチャを表す情報とを生成するモーション／テクスチャ分解とウェーブレット符号化とを実行する符号化方法によって符号化された原画像シーケンスを復号化するための方法であって、
前記ウェーブレット符号化は、原画像と対応する推定画像との比較によって得られる残差と称される差分画像に適用されるとともに、当該復号化するための方法は、
モーション画像を形成するために、動きに関連した前記残差の少なくとも一部を考慮して、その動きを復号化する段階と、
テクスチャ画像を形成するために、テクスチャに関連した前記残差の少なくとも一部を考慮して、そのテクスチャを復号化する段階と、
前記テクスチャ画像を前記モーション画像の上に投影することによって、前記原画像シーケンスに相当する、復号化された画像のシーケンスを合成する段階と
を含んでなることを特徴とする、画像シーケンスの復号化方法。
【請求項１８】
オリジナルのテクスチャ画像と復号化されたテクスチャ画像との間の歪みを解析することによって、前記復号化された画像のシーケンスのクオリティを測定するための段階を更に含むことを特徴とする請求項１７に記載の画像シーケンスの復号化方法。
【請求項１９】
前記動き推定によって生じるリバーサルを管理するための段階を更に含むことを特徴とする請求項１７または１８に記載の画像シーケンスの復号化方法。
【請求項２０】
実行されるべき一定レベルの質および／または量の処理作業が成し遂げられたら前記残差の処理を停止する段階を含むことを特徴とする請求項１７から１９のいずれかに記載の画像シーケンスの復号化方法。
【請求項２１】
少なくとも一部の原画像についてモーション画像と称される動きを表す情報とテクスチャ画像と称されるテクスチャを表す情報とを生成するモーション／テクスチャ分解とウェーブレット符号化とを実行して原画像シーケンスを符号化するための装置であって、
原画像と対応する推定画像とを比較することによって得られる残差と称される差分画像に適用されるウェーブレット符号化の手段を含むことを特徴とする画像シーケンスの符号化装置。
【請求項２２】
少なくとも一部の原画像についてモーション画像と称される動きを表す情報とテクスチャ画像と称されるテクスチャを表す情報とを生成するモーション／テクスチャ分解とウェーブレット符号化とを実行する符号化方法によって符号化された、原画像シーケンスを復号化するための装置であって、
前記ウェーブレット符号化は、原画像と対応する推定画像との比較によって得られる残差と称される差分画像に適用されるとともに、
モーション画像を形成するために、動きに関連した前記残差の少なくとも一部を考慮して、その動きを復号化するための手段と、
テクスチャ画像を形成するために、テクスチャに関連した前記残差の少なくとも一部を考慮して、そのテクスチャを復号化するための手段と、
前記テクスチャ画像を前記モーション画像の上に投影することによって、前記原画像シーケンスに相当する、復号化された画像のシーケンスを合成するための手段と
を含んでなることを特徴とする画像シーケンスの復号化装置。
【請求項２３】
請求項１から１３のいずれかに記載された符号化方法を実行するための手段を含むことを特徴とするデータサーバ。
【請求項２４】
端末装置によって読み出しが可能なデジタルデータ搬送波であって、請求項１から１３のいずれかに記載された符号化方法によって得られた請求項１４から１６のいずれかに記載された少なくとも１つの信号を搬送するデジタルデータ搬送波。
【請求項２５】
少なくとも一部の原画像についてモーション画像と称される動きを表す情報とテクスチャ画像と称されるテクスチャを表す情報とを生成するモーション／テクスチャ分解とウェーブレット符号化とを実行して原画像シーケンスの符号化を実行するための命令を含むコンピュータプログラムであって、
前記モーション画像を取得するために動きを推定するための命令と、
その上では動きの効果がキャンセルされている前記テクスチャ画像を取得するために各前記原画像を少なくとも１つの基準グリッド上に投影するための命令と、
モーション残差と称されるモーション差分画像を取得するためにモーション画像と対応する推定画像を比較するための命令と、
テクスチャ残差と称されるテクスチャ差分画像を取得するためにテクスチャ画像と対応する推定画像を比較するための命令と、
前記モーション残差と前記テクスチャ残差を独立にウェーブレット符号化するための命令と
を含んでなることを特徴とするコンピュータプログラム。
【請求項２６】
少なくとも一部の原画像についてモーション画像と称される動きを表す情報とテクスチャ画像と称されるテクスチャを表す情報とを生成するモーション／テクスチャ分解とウェーブレット符号化とを実行する符号化方法によって符号化された原画像シーケンスの復号化を実行するための命令を含むコンピュータプログラムであって、
前記ウェーブレット符号化は、原画像と対応する推定画像との比較によって得られる残差と称される差分画像に適用されるとともに、
モーション画像を形成するために、動きに関連した前記残差の少なくとも一部を考慮して、その動きを復号化するための手段と、
テクスチャ画像を形成するために、テクスチャに関連した前記残差の少なくとも一部を考慮して、そのテクスチャを復号化するための手段と、
前記テクスチャ画像を前記モーション画像の上に投影することによって、前記原画像シーケンスに相当する、復号化された画像のシーケンスを合成するための手段と
を含んでなることを特徴とするコンピュータプログラム。